(57)【要約】【課題】    従来のサーキュレータは、通路と空気排出部と送風手段とで構成し、空気排出部と送風手段とを配管で接続する。設置工程が複数の工程からなり、設置が容易でない。また、その他のサーキュレータは、通常のファンを利用し、室内空気を吸込み、かつ排気する。騒音の問題と、長時間の使用には不向きと考えられる。【解決手段】    本発明は、建屋、ハウス内の床面等の下部から天井面等の上部に立設した空気管と、空気管の下側に設けたＡＣファンと、室内の天井面に設けた開口部と、室内の床面に設けた排気口と、で構成し、空気管に吸込んだ軽い空気を排気口より排出して、床面の重い空気を上部に向って押上げる、循環空気の流れを確保した空調システム（サーキュレータ）である。【選択図】      図１−２
2018044761.tif 000002
【特許請求の範囲】
【請求項１】
建屋、ハウスの室内の床面、地面の下部から天井面、室内中間部の上部に立設した空気管の前記下部に設けたＡＣファンで、前記空気管の前記上部の開口部から、上部、及び／又は、上部近くの軽い空気を吸込む軽い空気吸込みステップと、
前記軽い空気吸込みステップで吸込んだ前記上部、及び／又は、上部近くの前記軽い空気を、前記空気管の前記下部に設けた排気口から、前記下部近くの重い空気に向かって排出する軽い空気排出ステップと、
前記軽い空気排出ステップからの前記軽い空気の押込み力で、前記重い空気を、前記上部に向って押上げる押上ステップと、
前記建屋、ハウス内において、上部より下部に向った、循環空気の流れを確保する空気の流れステップと、を含む、
建屋、ハウスの空調方法。
【請求項２】
前記空気管は、少なくとも、二連方式以上であって、複数個の前記開口部を設けて、この開口部からの吸込み量の拡充を図ることを特徴とする請求項１に記載の空調方法。
【請求項３】
建屋、ハウスの室内の天井面、室内中間部の上部に設け、前記建屋、ハウスの室内の床面、地面の下部に設けて立設した、前記上部に開口する開口部を備えた空気管と、
空気管に備えた空気送り部と、
空気送り部に備えたファン、及び排気口と、でなる空調システムであり、
前記開口部から、前記天井面、室内中間部の軽い空気を、前記空気管に取込み、この軽い空気を、前記排気口より、前記床面、地面に導き、この軽い空気の押込み力で、前記建屋、ハウスの室内の重い空気を、前記上部に向って押上げるとともに、この建屋、ハウス内において、上部より下部に向った、循環空気の流れを確保することを特徴とした空調システム。
【請求項４】
前記空気送り部には、２以上の前記ＡＣファンを備え、２以上の前記ＡＣファンは前記排気口に対向して並置されていることを特徴とした、
請求項３に記載の空調システム。
【請求項５】
前記空気管の開口部を、前記上部に設けた第１取付具に差込み支持し、接続口を、前記下部に設けた第２取付具に差込み支持して立設したことを特徴とした、
請求項３に記載の空調システム。
【請求項６】
前記空気送り部には、２以上の前記ＡＣファンを備え、２以上の前記ＡＣファンは前記排気口に対向して並置されるとともに、この空気送り部には、二本の前記空気管を接続することを特徴とする、
請求項５に記載の空調システム。
【請求項７】
前記空気管、及び／又は、前記空気送り部は、前記室内の内壁に沿って鉛直方向に立設される、
請求項３から６のいずれか１項に記載の空調システム。
【請求項８】
前記空気管、及び／又は、前記空気送り部は、前記室内の内壁の外側に立設される、
請求項３から６のいずれか１項に記載の空調システム。
【請求項９】
前記空気管、及び／又は、前記空気送り部は通気部を更に備え、
前記通気部の一部は、前記天井に近い前記内壁又は前記天井に埋め込まれ、前記空気送り部の一部は、前記床面に近い前記内壁に埋め込まれていることを特徴とした、
請求項８に記載の空調システム。
【請求項１０】
前記空気管、及び／又は、前記空気送り部の前記開口部、及び前記空気送り部の前記排気口は、前記室内の前記内壁の外側に開口し、前記空気管、及び／又は、前記空気送り部は、建材により囲まれた鉛直方向に延在した空間であることを特徴とした、
請求項９に記載の空調システム。
【発明の詳細な説明】
【技術分野】
【０００１】
本発明は、空調方法及び空調システムに関する。
【背景技術】
【０００２】
建物において、快適な室内環境を実現するために、室内の上方の空気を下方に排出し、室内空気を循環させるサーキュレータが知られている。本出願人も、天井近くに配置した第１開口部（吸気口）を一端に形成し、床面近くに配置した第２開口部（排出口）を他端に形成した通路と、通路の第２開口部には、排気装置を付設し、前記通路にファンを配備した構成であり、第１開口部より吸込んだ、室内空気を、排気装置の空気排出部から、室内の床面に向かって、排気、かつ拡散するサーキュレータについて出願を行った（特許文献１）。
【０００３】
また、同様なサーキュレータとして、実開昭４８−８６６５３号公報と、実開昭６２−１１７４５０号公報とに記載の考案がある。
【先行技術文献】
【特許文献】
【０００４】
【特許文献１】実用新案登録第３２０２４８４号公報
【特許文献２】実開昭４８−８６６５３号公報
【特許文献３】実開昭６２−１１７４５０号公報
【発明の概要】
【発明が解決しようとする課題】
【０００５】
しかし、特許文献１に記載のサーキュレータは、通路と空気排出部と送風手段とから構成され、空気排出部と送風手段との間も配管により接続されているため、設置工程が複数の工程からなり、設置が容易でないという問題があった。
【０００６】
また、特許文献２・３に記載のサーキュレータは、通常のファンを利用し、室内空気を吸込み、かつ排気する構造であり、騒音の問題と、長時間の使用には不向きと考えられる。
【０００７】
さらに、特許文献３に記載のサーキュレータは、複数のファンを採用しており、前記の問題に、加えて、コストの問題を抱えている。
【０００８】
本発明は、上記に鑑みて、室内空間の温度や湿度のむらを抑制し得る、簡易な構造の、サーキュレータを提供する。また、騒音の発生を無くしつつ、長時間の使用にも対応できる、パソコン等に使用されている、例えば、ＡＣファンを採用し、従来の問題を解消する。
【課題を解決するための手段】
【０００９】
上記目的を達成するために、本発明の第１の観点に係る空調方法は、
建屋、ハウスの室内の床面、地面の下部から天井面、室内中間部の上部に立設した空気管の前記下部に設けたＡＣファンで、前記空気管の前記上部の開口部から、上部、及び／又は、上部近くの軽い空気を吸込む軽い空気吸込みステップと、
前記軽い空気吸込みステップで吸込んだ前記上部、及び／又は、上部近くの前記軽い空気を、前記空気管の前記下部に設けた排気口から、前記下部近くの重い空気に向かって排出する軽い空気排出ステップと、
前記軽い空気排出ステップからの前記軽い空気の押込み力で、前記重い空気を、前記上部に向って押上げる押上ステップと、
前記建屋、ハウス内において、上部より下部に向った、循環空気の流れを確保する空気の流れステップと、を含むことを特徴とする。
【００１０】
また、本発明の第２の観点に係る空調方法は、
前記空気管は、少なくとも、二連方式以上であって、複数個の前記開口部を設けて、この開口部からの吸込み量の拡充を図ることを特徴とする。
【００１１】
また、本発明の第３の観点に係る空調システムは、
建屋、ハウスの室内の天井面、室内中間部の上部に設け、前記建屋、ハウスの室内の床面、地面の下部に設けて立設した、前記上部に開口する開口部を備えた空気管と、
空気管に備えた空気送り部と、
空気送り部に備えたファン、及び排気口と、でなる空調システムであり、
前記開口部から、前記天井面、室内中間部の軽い空気を、前記空気管に取込み、この軽い空気を、前記排気口より、前記床面、地面に導き、この軽い空気の押込み力で、前記建屋、ハウスの室内の重い空気を、前記上部に向って押上げるとともに、この建屋、ハウス内において、上部より下部に向った、循環空気の流れを確保することを特徴とする。
【００１２】
また、本発明の第４の観点に係る空調システムは、
前記空気送り部には、２以上の前記ＡＣファンを備え、２以上の前記ＡＣファンは前記排気口に対向して並置されていることを特徴とする。
【００１３】
また、本発明の第５の観点に係る空調システムは、
前記空気管の開口部を、前記上部に設けた第１取付具に差込み支持し、接続口を、前記下部に設けた第２取付具に差込み支持して立設したことを特徴とする。
【００１４】
また、本発明の第６の観点に係る空調システムは、
前記空気送り部には、２以上の前記ＡＣファンを備え、２以上の前記ＡＣファンは前記排気口に対向して並置されるとともに、この空気送り部には、二本の前記空気管を接続することを特徴とする。
【００１５】
さらに、本発明の第７の観点に係る空調システムは、
前記空気管、及び／又は、前記空気送り部は、前記室内の内壁に沿って鉛直方向に立設されることを特徴とする。
【００１６】
また、本発明の第８の観点に係る空調システムは、
前記空気管、及び／又は、前記空気送り部は、前記室内の内壁の外側（隣接する部屋との間にできる対の内壁間の隙間とか、建屋の外壁面等を云う。換言すると、内壁に露出しない部位）に立設されることを特徴とする。
【００１７】
また、本発明の第９の観点に係る空調システムは、
前記空気管、及び／又は、前記空気送り部は通気部を更に備え、
前記通気部の一部は、前記天井に近い前記内壁又は前記天井に埋め込まれ、前記空気送り部の一部は、前記床面に近い前記内壁に埋め込まれていることを特徴とする。
【００１８】
また、本発明の第１０の観点に係る空調システムは、
前記空気管、及び／又は、前記空気送り部の前記開口部、及び前記空気送り部の前記排気口は、前記室内の前記内壁の外側に開口し、前記空気管及び／又は、前記空気送り部は、建材により囲まれた鉛直方向に延在した空間であることを特徴とする。
【発明の効果】
【００１９】
本発明によれば、室内空間の温度や湿度のむらを抑制し得る、簡易な構造の、サーキュレータを提供できる。また、騒音の発生を無くしつつ、長時間の使用にも対応できる、パソコン等に使用されている、例えば、ＡＣファンを採用し、従来の問題を解消できる。
【図面の簡単な説明】
【００２０】
【図１−１】本発明の第１実施例の形態に係る、主として、建屋であって、小空間に適する一部省略の空調システムの外観図である。
【図１−２】本発明の第２実施例の形態に係る、主として、建屋であって、中空間に適する空調システムの外観図である。
【図１−３】本発明の第３実施例の形態に係る、主として、建屋であって、ハウス、畜舎等の大空間に適する空調システムの外観図である。
【図２−１】図１−１に示した、小空間に適する空調システムの空気送り部の外観及び内部構造を示した一部省略の透視図である。
【図２−２】図１−２に示した、中空間に適する空調システムの空気送り部の外観及び内部構造を示した一部省略の透視図である。
【図２−３】図１−３に示した、大空間に適する空調システムの空気送り部の外観及び内部構造を示した一部省略の透視図である。
【図３−１】図１−１に示した、空気送り部の内部を示した図である。
【図３−２】図１−２に示した、空気送り部の内部を示した図である。
【図３−３】図１−３に示した、空気送り部の内部を示した図である。
【図４−１】図１−１に示した、空調システムを備えた室内を示した図である。
【図４−２】図１−２に示した、空調システムを備えた室内を示した図である。
【図４−３】図１−３に示した、空調システムを備えた室内を示した図である。
【図５−１】図１−１に示した、第１実施例に係る空調システムの室内を示した外観図である。
【図５−２】図１−２に示した、第２実施例に係る空調システムの室内を示した外観図である。
【図５−３】図１−３に示した、第３実施例に係る空調システムの室内を示した外観図である。
【図６】図４−１に示した空調システムの他の例を示した、第４実施例に係る空調システムの室内を示した外観図で、（ａ）は正面図、（ｂ）は側面図である。
【図７】図４−１等に示した空調システムの他の例を示した、第５実施例に係る空調システムの室内を示した外観図である。
【図８】図４−１等に示した空調システムの更に他の例を示した、第６実施例に係る空調システムの室内を示した外観図である。
【発明を実施するための形態】
【００２１】
本発明の実施の形態１の第１〜第３実施例の各形態について図面を参照し、順次、詳細に説明する。説明には、適宜相互に直交するＸ軸、Ｙ軸、Ｚ軸からなるＸＹＺ座標系を用いて説明する。発明の内容の理解を容易にするためであり、何ら限定されない。
【００２２】
図１−１は、本発明の第１実施例の形態に係る空調システム１を模式的に示した外観図である。空調システム１（サーキュレータ）は、建屋の小空間（イ）に最適な部屋、例えば、床面Ｆ、天井面Ｃ、内壁Ｗによって区画される室内に配置される。この空調システム１は、天井面Ｃ近くに滞留する比較的温度が高く軽い空気を取り込んで、床面Ｆに近い空間に排気することで、床面Ｆ近くに滞留する比較的温度が低く重い空気を上方に押し上げ、室内全体の空気を循環させるためのシステムである。
【００２３】
また、図１−２は、本発明の第２実施例であり、空調システム１（サーキュレータ）は、例えば、建屋の中空間（ロ）に最適な、室内全体の空気を循環させるためのシステムである。その構造の基本は、第１実施例に準ずる。以下、相違点を、順次、説明する。
【００２４】
さらに、図１−３は、本発明の第３実施例であり、空調システム１（サーキュレータ）は、例えば、建屋（ハウス、畜舎等）の大空間（ハ）に最適な、室内全体の空気を循環させるためのシステムである。その構造の基本は、第１実施例に準ずる。以下、相違点を、順次、説明する。
【００２５】
第１実施例の空調システム１は、床面Ｆ上に設置する空気送り部１０と、空気送り部１０に接続され、内壁Ｗ、躯体、その他の構造物等に沿って立設される空気管２０と、から構成される。図２−１に示すように、空気送り部１０には、ＡＣファン１３を備える。また、空気送り部１０には、この空気送り部１０に吸込んだ上部（天井面Ｃ、室内中間部）の軽い空気を、床面Ｆ、地面の下部の重たい空気に向って、排出（排気）する排気口１２を備えている。
【００２６】
前記空気管１０は、床面Ｆ側から天井面Ｃ、又は室内中間部に向けて立設することで、上端の開口部２１は、上部に位置し、下端の接続口２２は、下部に位置する。そして、この接続口２２は、空気送り部１０の吸気口１１に繋がる。この空気送り部１０には、開口部２１から吸込んだ空気を床面Ｆ近くに排出するための排気口１２を備える。開口部２１は、天井面Ｃ、又は室内中間部近くの、乾いた、及び／又は、軽い空気を吸込む構造である。
【００２７】
また、第２実施例の空調システム１は、床面Ｆ上に設置する下端を備えた空気送り部１０であって、内壁Ｗ、躯体、その他の構造物等に沿って立設されており、その上端は、天井面Ｃ、又は室内中間部に達している。図１−２に示すように、実施例１の空気管２０と、空気送り部１０とが一体構造となった形態であって、原則として、接続口２２と、吸気口１１は備えない。この第２実施例では、空気送り部１０は、第１実施例の空調システム１よりシンプルで、長尺形態である。その他は、前記第１実施例に準ずる。
【００２８】
さらに、第３実施例の空調システム１は、地面Ｆ−１上に設置する下端を備えた広幅の空気送り部１０であって、内壁Ｗ、躯体、その他の構造物等に沿って立設されており、この空気送り部１０の上端には、天井面Ｃ、又は室内中間部に達した二本の空気管２０、２０が立設されている。また、図２−３に示すように空気送り部１０には、例えば、故障が少なく、かつ熱拡散が良い、耐久性を備えたＡＣファン１３を２つ備えており、２つのＡＣファン１３を排気口１２に近い位置に排気口１２の開口面に対向して並置している。ＡＣファン１３を２つ排気口１２に対向して並列させることで、排気口１２への排気力（排気量）を高めることができ、及び／又は、吸気口１１への吸込力（吸込量）を高めることができる。図示しないが、弁機構等で、排気量／吸込量の調整ができる。
【００２９】
換言すると、図１−１に示した第１実施例のツインタイプ（二連方式）と考えられ、かつ大容量と、ハウスの如く、大空間（ハ）に最適な空調システムである。空気送り部１０に吸込んだ空気を、植物の生長点の近くに排出するための排気口１２は、この空気送り部１０の下端に設ける。その他は、前記第１実施例に準ずる。
【００３０】
空気管２０の開口部２１、及び／又は、空気送り部１０の吸気口１１の形状及び向きは任意である。図１−１に示すように、Ｚ軸に平行に上方を向いてストレートに開口するか、又はラッパ形状で内径が広がるようにしてもよい。又は、空気管２０、及び／又は、空気送り部１０をストレートでなく、曲折することなどの対応でも可能である。また第２・第３実施例では、端面視して、長方形状とする。そして、ハウスでは、大空間（ハ）であることから、空気送り部１０も、広幅形状を採用する。
【００３１】
この空気管２０は、長手方向をＺ軸方向（鉛直方向）とする内部が中空の管状、長方形、筐形等の形態とし、例えば、塩化ビニル、板材などの樹脂素材、金属素材、その他の素材とし、かつ丸パイプ、角パイプ、その他の形状とする。限定されない。但し、大空間（ハ）は、例えば、二連の空気送り部１０は最適である。即ち、必要とする、風量とか到達距離などを考えて、最適な素材と形状、或いは取付け方を採用する。空気管２０は、例えば、Ｕ字状のサドルバンド、又は環状の帯材などによって、内壁Ｗの内面に沿って取り付けられている。空気管２０の開口部２１は、天井面Ｃの直近から、間隔を持って、自由に設置できる。また、室内等の中間部も有り得る。
【００３２】
図２−１〜２−３は、第１〜第３実施例の空気送り部１０の外観及び内部構造を示した透視図である。図２−１に示すように、空気送り部１０は、内部にＡＣファン１３を備えており、ＡＣファン１３の吸込力により、吸気口１１から空気を吸込み、排気口１２から空気を排出する。ＡＣファン１３は回転翼及び電動機を備える軸流送風機であり、通常は、パソコンなどの長時間に亙り使用され、かつ熱を効率的に放熱できる構造を採用する。
【００３３】
排気口１２は、例えば、矩形の開口であり、第１〜第３実施例においても、共通しており、床面Ｆ、又は地面Ｆ−１などから上方に５０ｍｍ程度離れた位置に矩形の下辺を配置するのが好ましい。排気口１２には、開口を目隠しするために、長手方向をＸ軸方向とする複数のフィン１２１が、開口を横切るように取り付けられている。フィン１２１は上下に設置角度を変更可能としてもよく、この場合はフィン１２１の設置角度を変えることで、空気の排出方向を変化させることができる。
【００３４】
空気送り部１０の内部にはＡＣファン１３に電源供給する電源装置１４を更に備えている。空気送り部１０の排気口１２と同じ面には、ＡＣファン１３のＯＮ／ＯＦＦの切り替えを行うスイッチ１５が備えられ、スイッチ１５は電源装置１４に接続されている。電源装置１４には電源コード１６を介して外部からＡＣ電源が供給される。
【００３５】
尚、第２・第３実施例においても、電源装置１４には電源コード１６を介して外部からＡＣ電源が供給される。
【００３６】
図３−１は、第１実施例であり、空気送り部１０の内部を−Ｚ方向に見た図であり、空気の流れを示している。図３−１の矢印で示したように、ＡＣファン１３の吸込力により吸気口１１から吸込んだ空気は、−Ｘ方向に流れ、空気送り部１０の内壁により流方向が変化し、排気口１２から排出される。
【００３７】
図３−２・３−３は、第２・第３実施例であり、第１実施例に準ずる。
【００３８】
図４−１は、第１実施例であり、空調システム１を備えた室内を−Ｘ方向に見た図である。空気送り部１０のスイッチ１５が操作されＡＣファン１３に電源装置１４から電力が供給されると、ＡＣファン１３が回転する。ＡＣファン１３の回転により、空気管２０の開口部２１から、この空気管２０に吸込まれた空気は、吸気口１１を介して、空気送り部１０に導かれた後、排気口１２から床面Ｆ近くに排出される。
【００３９】
図４−２・４−３は、第２・第３実施例であり、第１実施例に準ずる。
【００４０】
以上の如く、第１実施例では、天井面Ｃ近くの比較的温度が高く軽い空気が、空気管２０の開口部２１から取り込まれる。そして、取り込まれた軽い空気が、空気送り部１０のＡＣファン１３の吸込み力により、空気管２０と空気送り部１０の内部を通って排気口１２から、比較的温度が低く重い空気が滞留する床面Ｆ近くの空間に排出される。このときの軽い空気の押込み力により、床面Ｆ近くの重い空気を、天井面Ｃ側に向って押上げる。その結果、図４−１の矢印に示すように、室内の空気が循環し、温度むら、及び／又は、湿度むらの解消に有効である。
【００４１】
尚、第２・第３実施例において、図４−２・４−３の矢印に示すように、室内の空気が循環し、温度むら、及び／又は、湿度むらの解消に有効である。その他は、前述の第１実施例に準ずる。
【００４２】
以上説明したように、第１実施例の空調システム１は、床面Ｆ上に設置された空気送り部１０と、内壁Ｗに沿って上方に延在するように立設し空気送り部１０の吸気口１１に接続した空気管２０とからなり、空気送り部１０の内部に備えたＡＣファン１３の吸込力により、天井面Ｃ近くの空気を空気管２０の開口部２１から取り込んで、取り込んだ空気を床面Ｆ近くの空間に空気送り部１０の排気口１２から排出し、軽い空気の押込み力により、床面Ｆ近くの重い空気を、天井面Ｃ側に向って押上げることとした。これにより、天井面Ｃ近くの空気と床面Ｆ近くの空気が撹拌され、室内空間の温度むら又は湿度むらを解消することができる。その結果、特に暖房運転される空調装置の省エネ化を図りつつ、結露や過乾燥の発生を抑制できる。
【００４３】
尚、第２・第３実施例は、前述の第１実施例に準ずる。
【００４４】
また、本実施の各実施例において、空調システム１では、冷暖房などで温度を上げ下げする必要なく室内の上下温度差を空気の環流で解消し居住者、作業者の身体への負担を無くすものである。これにより、居住者、作業者には、快適な空間を得ることができることと、身体ストレスの軽減化等に寄与でき、又、疾病者には健康回復に有効である。又はハウスの作物には、快適な栽培環境とか得ることができことと、成長の迅速化、収穫・品質の向上等に寄与できる。
【００４５】
本発明の実施の形態２について図面を参照して詳細に説明する。説明には、適宜相互に直交するＸ軸、Ｙ軸、Ｚ軸からなるＸＹＺ座標系を用いる。
【００４６】
図５−１は、第１実施例の使用状態を示した空調システム１の模式的に示した外観図である。空調システム１は、例えば、床面Ｆ、天井面Ｃ、内壁Ｗによって区画される室内に配置される。この空調システム１は、第１実施例と同様に、天井面Ｃ近くに滞留する比較的温度が高く湿度の低い空気を取り込んで、床面Ｆに近い空間に排気することで、床面Ｆ近くに滞留する比較的温度が低く湿度の高い空気を上方に押し上げ、室内全体の空気を循環させるためのシステムである。
【００４７】
また、図５−２・５−３に示した、第２・第３実施例の使用状態を示した空調システム１は、前述の第１実施例と同じであり、その効果は、第１実施例の使用状態に準ずる。
【００４８】
このように本発明の各実施例では、室内の床面側から天井面Ｃ側に立設した空気管の床面側に接続され、室内の床面に設けた装置に配備したＡＣファンの吸込力により、空気管２０の天井側の吸気口から、天井面Ｃ近くの軽い空気を吸込み、吸込んだ天井面Ｃ近くの軽い空気を装置の床面Ｆ近くに設けた排気口１２から、床面近くの重い空気に向かって排出し、排気口からの軽い空気の押込み力で、重い空気を、天井面Ｃ側に向って押上げることとした。これにより、簡易な構成で室内の温度や湿度のむらを抑制し、室内環境を快適にすることができる。また、室内全体に空気の流れを生成し、自然の中での生活感覚を体得でき、更に、室内に入った際の空気のよどみもなく抵抗もなく出入りができる。
【００４９】
尚、本発明は、上記実施の形態に限定されず、本発明の要旨を逸脱しない範囲での種々の変更は勿論可能である。
【００５０】
例えば、上記実施の形態において、空気送り部１０が、天井面Ｃ近くの軽い空気を吸込んで、吸込んだ軽い空気を床面Ｆ近くの重い空気が滞留した空間に排出する場合について説明したが、これに限らず、例えば、第１実施例では、空気送り部１０に備えるＡＣファン１３の吸込方向を逆にすることにより、床面Ｆ近くの重い空気を吸込んで、吸込んだ重い空気を天井面Ｃ近くの軽い空気が滞留した空間に排出し、天井面Ｃ近くの空間への重い空気の押込み力で、天井面Ｃ近くに滞留した軽い空気を、床面Ｆ側に向って押下げるようにしてもよい。この場合、吸気口１１が排気口として機能し、排気口１２が吸気口として機能する。つまり、ＡＣファン１３の吸込力により、床面Ｆ近くの排気口１２から吸込んだ重たい空気を、空気送り部１０を経由して空気管２０に送り、この空気管２０の開口部２１から、重たい空気を、天井面Ｃに向けて押出し、この近傍の軽い空気を、床面Ｆに向って押し下げる空気循環システムである。
【００５１】
この場合にも、天井面Ｃ近くの空気と床面Ｆ近くの空気が撹拌され、室内空間の温度むら又は湿度むらを解消することができる。これにより、特に冷房運転される空調装置の省エネ化を図りつつ、結露や過乾燥の発生を抑制することができる。これは第１実施例に限定されない。
【００５２】
尚、図５−２において示した第２実施例では、空気管２０と空気送り部１０とが、一体となった構造を示している。第１実施例と、同様な作用を備えており、同じ効果が期待できる。
【００５３】
上記実施の形態では、空気送り部１０が室内の床面Ｆ上に配置される場合について説明したが、これに限らず、第２・第３実施例の空気送り部１０を、図６（ａ）、（ｂ）に示すように、内壁Ｗ内に埋め込むように設置してもよい。この場合には、空気送り部３０の排気口３２と、空気管２０の開口部２１とは、内壁Ｗの外側に開口する。空気送り部３０、及び／又は、空気管２０は、内壁Ｗ内に設置される断熱材５１の中に埋設される。尚、空気送り部３０、及び／又は、空気管２０は、内壁Ｗと面一の設置も有り得る。この内壁Ｗの外側とは、前述した隣接する部屋との間にできる対の内壁Ｗ、Ｗ間の隙間（符号なし）の例とか、建屋の外壁面等を云う。換言すると、内壁Ｗ側に露出しない部位で、室内の雰囲気を乱さない箇所に立設する。
【００５４】
この場合の空気管２０の開口部２１、及び／又は、空気送り部３０の吸気口１１には通気部４０に介在することも有り得る。開口部２１、及び／又は、通気部４０は、内壁Ｗに埋め込むが、場合により、一部が内壁Ｗの内面から露出した状態も有り得る。
【００５５】
通気部４０に設けた開口は、内壁Ｗの外側に開口する。この一例では、通気部４０は、室内空間に向かう面のほぼ全域にわたって形成された矩形状を有している。通気部４０には、開口を目隠しするために、長手方向をＸ軸方向とする複数のフィンが、開口を横切るように取り付けられている。フィンは設置角度を変更可能としてもよく、フィンの設置角度を変えることで、空気の排出方向を変化させることができる。
【００５６】
また、空気管２０、及び／又は、空気送り部３０を、内壁Ｗ内に埋め込むように配置する場合、空気管２０、及び／又は、空気送り部３０を内壁Ｗの外側から天井面Ｃの天井面の裏側に沿って立設し、通気部４０を天井面Ｃに埋め込むように設置してもよい。
【００５７】
この場合には、天井面Ｃで吸気又は排気することとなり、より広い範囲で空気を撹拌することができる。また、通気部４０を天井面Ｃの中央に設置した場合には、室内のＸＹ方向においても偏り無く空気が撹拌され、より効率的に室内空間の温度むら又は湿度むらを解消することができる。
【００５８】
また、空気管２０、及び／又は、空気送り部３０及び通気部４０を、内壁Ｗ内に埋め込むように配置する場合、図６（ａ）、（ｂ）に示すように、Ｘ方向において２本の柱５０の間、Ｙ方向において内壁Ｗの外側の面と断熱材５１との間、並びに、Ｚ方向において空気送り部３０と通気部４０との間、にほぼ閉じられた空間５２を作り、空間５２を空気管２０、及び／又は、空気送り部３０に替えた構成としてもよい。
【００５９】
この場合、空気送り部３０の上面と通気部４０の下面には空間５２に通じた開口を備えており、図６（ｂ）の矢印で示したように、通気部４０から吸込んだ空気が、空間５２を通って、空気送り部３０のＡＣファン１３によって排気口３２から排出される。尚、図示しないが、前述したように、空気の流れは、空気送り部３０から通気部４０に向かう逆の流れでもよい。
【００６０】
空間５２を形成するものは、柱５０や断熱材５１に限られず、空間５２は他の任意の建材によって囲まれた鉛直方向に延在した空間であってもよい。
【００６１】
また、上記実施の形態では、ＡＣファン１３が軸流送風機である場合について説明したが、これに限らず、ＡＣファン１３は、例えばシロッコ、通常のファンであってもよい。
【００６２】
図７、８は、第５・第６実施例の空調システム１を備えた室内を示した外観図である。主として、図４−１の他の例とか、更に他の例とかを示している。しかし、基本は上記の図６の形態を利用した実施例である。図７に示した第５実施例は、内壁Ｗに設けた通気部４０の開口と、空気送り部１０の排気口１２とは、ともに内壁Ｗの外側に開口する。また空気管２０は、内壁Ｗの外側か、必要により、内壁Ｗに設ける。その空気の流れは、前述の図４−１の第１実施例の各実施例に準ずる。
【００６３】
尚、図８に示した第６実施例は、空気管２０の配管形態が異なるが、全体の考えと、構造、効果等は、前述の第５実施例に準ずる。
【００６４】
また、上記実施の形態では、空調システム１の空調対象を室内空間単体である場合について説明したが、これに限られず、図示しないが、複数の部屋のうち一部の部屋の床面Ｆ近くに空気送り部１０を設置し、他の一部の部屋の天井面Ｃ近くに通気部４０を備え、空気送り部１０と通気部４０を空気管２０、又は空間５２で接続することにより、建物全体を空調対象としてもよい。
【００６５】
また、上記実施の形態では、２つのＡＣファン１３を排気口１２に対向して並列する構成について説明したが、ＡＣファン１３の数は３以上の任意の数であってもよく、全てのＡＣファン１３が排気口１２に対向して、Ｘ方向及びＺ方向に並べて配列してもよい。ＡＣファン１３の数を増やすことにより、排気口１２への排気力を高めることができ、より強力に室内の空気を撹拌させることができる。
【符号の説明】
【００６６】
１  空調システム
１０  空気送り部
１１  吸気口
１２  排気口
１３  ＡＣファン
１４  電源装置
１５  スイッチ
１６  電源コード
２０  空気管
２１  開口部
２２  接続口
３０  空気送り部
３２  排気口
４０  通気部
５０  柱
５１  断熱材
５２  空間
１２１  フィン
Ｆ  床面
Ｆ−１  地面
Ｗ  内壁
Ｃ  天井面
【図１−１】
2018044761.tif 000003
【図１−２】
2018044761.tif 000004
【図１−３】
2018044761.tif 000005
【図２−１】
2018044761.tif 000006
【図２−２】
2018044761.tif 000007
【図２−３】
2018044761.tif 000008
【図３−１】
2018044761.tif 000009
【図３−２】
2018044761.tif 000010
【図３−３】
2018044761.tif 000011
【図４−１】
2018044761.tif 000012
【図４−２】
2018044761.tif 000013
【図４−３】
2018044761.tif 000014
【図５−１】
2018044761.tif 000015
【図５−２】
2018044761.tif 000016
【図５−３】
2018044761.tif 000017
【図６】
2018044761.tif 000018
【図７】
2018044761.tif 000019
【図８】
2018044761.tif 000020